(57)【要約】【課題】折り畳み可能な荷搬送用ボックスパレットの段積み時の耐荷重性能を高める。【解決手段】底パネル１は、左右両側辺に位置する上側開放の前後方向溝形材３とこの前後方向溝形材３の上に敷設された格子状パネル材５とを有すると共に左右両側辺の下側にそれぞれ前後一対の段積み用脚体が配設され、左右両側パネル２Ｂ，２Ｃの下辺には、底パネル１の前後方向溝形材３内に嵌入する位置決め用突出片１７が突設された搬送用ボックスパレットであって、左右両側パネル２Ｂ，２Ｃは、縦線材１２とこの縦線材１２の内側に配置された横線材１３とを備えた格子状パネル材１４から成り、前記位置決め用突出片１７は、左右両側パネル２Ｂ，２Ｃの内側横線材１３の内側に付設され、この位置決め用突出片１７が底パネル１の前後方向溝形材３内の幅方向中央位置より外側の垂直壁部３ａに接近する。【選択図】図５
2005096823.tif 000002
【特許請求の範囲】
【請求項１】
矩形の底パネルの周囲に当該底パネルの上に重ねるように折り畳み可能に左右両側パネルが立設され、底パネルは、左右両側辺に位置する上側開放の前後方向溝形材とこの前後方向溝形材の上に敷設された格子状パネル材とを有すると共に左右両側辺の下側にそれぞれ前後一対の段積み用脚体が配設され、左右両側パネルの下辺には、底パネルの前後方向溝形材内に嵌入する位置決め用突出片が突設された搬送用ボックスパレットであって、左右両側パネルは、縦線材とこの縦線材の内側に配置された横線材とを備えた格子状パネル材から成り、前記位置決め用突出片は、左右両側パネルの内側横線材の内側に付設され、この位置決め用突出片が底パネルの前後方向溝形材内の幅方向中央位置より外側の垂直壁部に接近するように構成された、折り畳み可能な搬送用ボックスパレット。
【請求項２】
左右両側パネルの格子状パネル材の下辺には、その内側横線材との間で縦線材の下端を挟む外側横線材が並設されている、請求項１に記載の折り畳み可能な搬送用ボックスパレット。
【請求項３】
位置決め用突出片の上端部は、左右両側パネルの上下の内側横線材間に入り込むように曲げられている、請求項１又は２に記載の折り畳み可能な搬送用ボックスパレット。
【請求項４】
底パネルの前後方向溝形材には、その溝部に嵌入する位置決め用突出片を溝部外側の垂直壁部側へ寄せるガイド斜面を有するガイド部材が併設されている、請求項１〜３の何れかに記載の折り畳み可能な搬送用ボックスパレット。
【発明の詳細な説明】
【技術分野】
【０００１】
本発明は、矩形の底パネルの周囲に当該底パネルの上に重ねるように折り畳み可能に側パネルが立設された折り畳み可能な搬送用ボックスパレットに関するものである。
【背景技術】
【０００２】
折り畳み可能な搬送用ボックスパレットとして、特許文献１や特許文献２に記載のように、矩形の底パネルの周囲に当該底パネルの上に重ねるように折り畳み可能に側パネルが立設され、底パネルは、左右両側辺に位置する上側開放の前後方向溝形材とこの前後方向溝形材の上に敷設された格子状パネル材とを有すると共に左右両側辺の下側にそれぞれ前後一対の段積み用脚体が配設され、左右両側パネルの下辺には、底パネルの前後方向溝形材の溝部に嵌入する位置決め用突出片が突設された搬送用ボックスパレットが知られている。
【特許文献１】実開昭５５−１７０２９１号公報
【特許文献２】実開昭６３−２１２２６号公報
【発明の開示】
【発明が解決しようとする課題】
【０００３】
特許文献１や特許文献２によって知られている従来の折り畳み可能な搬送用ボックスパレットでは、左右両側パネルの下辺から下向きに突出する位置決め用突出片が底パネルの前後方向溝形材の溝部の幅方向中央位置より溝部外側の垂直壁部に接近するように構成されているが、当該位置決め用突出片が、左右両側パネルを構成する格子状パネル材の縦線材の内側に配設されている横線材の外側、即ち、左右両側パネルを正面から見て縦線材と重なる位置に配置されていた。この構成では、仮に位置決め用突出片が底パネルの前後方向溝形材の溝部外側の垂直壁部に当接する状態であっても、当該位置決め用突出片の内側に位置するパネル下辺の横線材は、底パネルの前後方向溝形材の溝部外側の垂直壁部から内側（当該溝形材の幅方向中央位置側）へ寄ることになる。一方、このボックスパレットを段積みしたとき、上側ボックスパレットの荷重が当該上側ボックスパレットの段積み用脚体から下側ボックスパレットの左右両側パネルに垂直下向きに作用し、この垂直下向き荷重が、左右両側パネルの縦線材からパネル下辺の前後方向向きとなる横線材を介して、底パネルの前後方向溝形材上に重なる格子状パネル材の左右方向線材で受け止められることになる。
【０００４】
従って、従来の構成では、荷が収納された大重量の実ボックスパレットを段積みしたとき、下側ボックスパレットの底パネルを構成する格子状パネル材の左右方向線材が、その下側の前後方向溝形材の内外両垂直壁部間で下に撓むように変形する恐れがあり、この問題点を解消するためには、底パネルを構成する格子状パネル材の少なくとも左右方向線材の線径を太くする必要が生じ、重量アップやコストアップにつながる結果となっていた。
【課題を解決するための手段】
【０００５】
本発明は上記のような従来の問題点を解消し得る折り畳み可能な搬送用ボックスパレットを提供することを目的とするものであって、その手段を後述する実施形態の参照符号を付して示すと、矩形の底パネル１の周囲に当該底パネル１の上に重ねるように折り畳み可能に左右両側パネル２Ｂ，２Ｃが立設され、底パネル１は、左右両側辺に位置する上側開放の前後方向溝形材３とこの前後方向溝形材３の上に敷設された格子状パネル材５とを有すると共に左右両側辺の下側にそれぞれ前後一対の段積み用脚体６が配設され、左右両側パネル２Ｂ，２Ｃの下辺には、底パネル１の前後方向溝形材３内に嵌入する位置決め用突出片１７が突設された搬送用ボックスパレットであって、左右両側パネル２Ｂ，２Ｃは、縦線材１２とこの縦線材１２の内側に配置された横線材１３とを備えた格子状パネル材１４から成り、前記位置決め用突出片１７は、左右両側パネル２Ｂ，２Ｃの内側横線材１３の内側に付設され、この位置決め用突出片１７が底パネル１の前後方向溝形材３内の幅方向中央位置より外側の垂直壁部３ａに接近するように構成されている。
【０００６】
上記構成の本発明を実施するについて、請求項２に記載のように、前記左右両側パネル２Ｂ，２Ｃの格子状パネル材１４の下辺には、その内側横線材１３ａとの間で縦線材１２の下端を挟む外側横線材１３ｂを並設して、この左右両側パネル２Ｂ，２Ｃの下辺の曲げ強度の向上を図ることができる。
【０００７】
又、請求項３に記載のように、前記位置決め用突出片１７の上端部１７ｃは、左右両側パネル２Ｂ，２Ｃの上下の内側横線材１３，１３ｃ間に入り込むように曲げておくことができる。更に、請求項４に記載のように、前記底パネル１の前後方向溝形材３には、嵌入する位置決め用突出片１７を外側の垂直壁部３ａ側へ寄せるガイド斜面２５ａを有するガイド部材２５を併設することができる。
【発明の効果】
【０００８】
上記構成の本発明に係る折り畳み可能な搬送用ボックスパレットによれば、組み立てられたボックスパレットの左右両側パネルの下辺から突出する位置決め用突出片が底パネルの前後方向溝形材内で外側の垂直壁部に接近していることと、この位置決め用突出片よりも外側に左右両側パネルの下辺の内側横線材が位置していることとによって、当該左右両側パネルの下辺の内側横線材が底パネルの前後方向溝形材の外側の垂直壁部の真上位置又はその極近くに位置することになる。
【０００９】
従って、このボックスパレットを段積みしたとき、上側ボックスパレットの荷重が、当該上側ボックスパレットの段積み用脚体から下側ボックスパレットの左右両側パネルの外側縦線材からパネル下辺の前後方向の内側横線材を経由して底パネルの格子状パネル材の左右横方向線材に受け止められるが、この底パネルの格子状パネル材の左右横方向線材が左右両側パネルの下辺の内側横線材を受け止める位置が、底パネルの前後方向溝形材の外側の垂直壁部の真上付近となり、当該底パネルの格子状パネル材の左右横方向線材が前後方向溝形材の幅内で下方に撓み変形する恐れがなくなる。従って、底パネルを構成する格子状パネル材の少なくとも左右方向線材の線径を従来のものよりも細くし、重量軽減やコストダウンを図ることができる。
【００１０】
尚、請求項２に記載の構成によれば、ボックスパレット段積み時に上側ボックスパレットの荷重を受けて底パネルに伝達する左右両側パネルの下辺の曲げ強度を増大させ、ボックスパレット全体の耐荷重性能を高めることができる。
【００１１】
又、請求項３に記載の構成によれば、左右両側パネルの内側面（正面から見て各段内側横線材の内側頂部を通る仮想垂直面）より内側（荷収納空間側）に突出している位置決め用突出片の上端に、このボックスパレット内に収納される荷が引っ掛かったり、傷ついたりする不都合を回避でき、安全に使用することができる。
【００１２】
更に、請求項４に記載の構成によれば、このボックスパレットを組み立てる際に、左右両側パネルを底パネルの左右両側辺に立設させるとき、最初から当該左右両側パネルを底パネル側の前後方向溝形材の外側の垂直壁部側へ寄せて配置することができ、例えば左右両側パネルの前側辺どうしを結合するゲートパネルなどを配置するときに左右両側パネルを外側へ開くように操作しなければならない場合と比較して、このボックスパレットの組立作業を容易且つ能率良く行える。
【発明を実施するための最良の形態】
【００１３】
以下に本発明の具体的実施例を添付図に基づいて説明すると、図１において、１は矩形の底パネルであって、その周囲に、開閉自在なゲートパネル２Ａ、左右両側パネル２Ｂ，２Ｃ、及ぶ背パネル２Ｄが立設されている。
【００１４】
底パネル１は、図３及びず４に示すように、左右両側辺に配置された上側開放の前後方向溝形材３、両溝形材３の両端近傍位置と中間２箇所の長さ方向４箇所を互いに連結する上側開放の左右方向溝形材４、これら溝形材３，４の上に載置固着された矩形の格子状パネル材５、及び前後方向溝形材３とその両端近傍位置に配置された左右方向溝形材４とのＴ字状交差部の下側に固着された段積み用脚体６から構成されている。矩形の格子状パネル材５は、適当間隔おきに互いに平行に配列された前後方向線材７と適当間隔おきに互いに平行に配列された左右方向線材８とをその交差部で互いに固着したものである。各脚体６は、床置き時に着床する接地部９の外側で若干高い位置に、段積み時に下側パレットの左右両側パネル２Ｂ，２Ｃの上辺の前後両端近傍位置に嵌合する前後方向の凹溝部１０を備えている。
【００１５】
背パネル２Ｄは、縦線材と横線材とで格子状に形成した格子状パネル材から構成され、その下辺の横線材と底パネル１の格子状パネル材５における後側辺の左右方向線材８とを螺旋状のヒンジコイル１１で結合することにより、底パネル１に対しヒンジコイル軸心１１ａ（図１参照）の周りに揺動自在に構成している。
【００１６】
左右両側パネル２Ｂ，２Ｃは、図２、図４、及び図５に示すように、適当間隔おきに互いに平行に配列された縦線材１２とこの縦線材１２の内側で適当間隔おきに互いに平行に配列された横線材１３とをその交差部で互いに固着して成る矩形の格子状パネル材１４から構成され、その後側辺の縦線材１２と背パネル２Ｄの左右両側辺の縦線材とを螺旋状のヒンジコイル１５，１６で結合することにより、背パネル２Ｄに対しヒンジコイル軸心１５ａ，１６ａ（図１参照）の周りに揺動自在に構成している。又、この左右両側パネル２Ｂ，２Ｃの下側辺には、線材をＵ字形に曲げ加工した２つの位置決め用突出片１７が両端寄り２箇所に下向きに固着突設され、更に左右両側パネル２Ｂ，２Ｃの前側辺には、線材をＵ字形に曲げ加工した４つのゲートパネル係止用突出片１８ａ〜１８ｄが前方向きに固着突設されている。
【００１７】
更に詳述すると、左右両側パネル２Ｂ，２Ｃは、パレット段積み時の座屈強度を高めるために、図２に示すように、その前後両端から一定範囲内では、内側の横線材１３の更に内側で、外側の互いに隣り合う縦線材１２の中間に位置するように、補強用縦線材１２ａを追加している。又、図５にも示すように、下辺(下端）の内側横線材１３ａに対して、当該内側横線材１３ａとの間で縦線材１２を挟む補強用外側横線材１３ｂを追加している。位置決め用突出片１７は、その平行縦線材部１７ａ，１７ｂを下辺内側横線材１３ａとその一段上の内側横線材１３ｃとにわたって、これら横線材１３ａ，１３ｃの内側に当接させた状態で両者の交差部を溶接などで固着しているが、内側横線材１３ｃより上方に突出する平行縦線材部１７ａ，１７ｂの上端部１７ｃをそれぞれ、内側横線材１３ｃとその一段上の内側横線材１３との間に入り込ませるように屈曲させている。
【００１８】
尚、左右両側パネル２Ｂ，２Ｃは、図４及び図５Ｃに示すように、このボックスパレットを組み立てたとき、底パネル１の左右両側辺の前後方向溝形材３より若干左右外側に張り出している格子状パネル材５の左右両側辺の上に左右両側パネル２Ｂ，２Ｃの下辺が載置されると共に、その下辺から突出する各位置決め用突出片１７が底パネル１の前後方向溝形材３の内側に嵌入するが、このとき各位置決め用突出片１７が前後方向溝形材３の外側の垂直壁部３ａに隣接するように、左右両側パネル２Ｂ，２Ｃの位置（背パネル２Ｄの左右横巾やゲートパネル２Ａの左右横巾によって決まる）が設定されている。
【００１９】
ゲートパネル２Ａは、図１に示すように、上側ゲート１９と、下端部が内側へ直角に折曲された下側ゲート２０とから成り、各ゲート１９，２０は、それぞれ縦線材と横線材とで格子状に形成した格子状パネル材から構成され、上側ゲート１９の下端横線材と下側ゲート２０の上端横線材とを螺旋状のヒンジコイル２１で結合することにより、下側ゲート２０に対し上側ゲート１９をヒンジコイル軸心２１ａ（図１参照）の周りに揺動自在に構成し、下側ゲート２０の下端折曲部の先端横線材と底パネル１の格子状パネル材５における前端から内側に入った位置にある左右方向線材とを螺旋状のヒンジコイル２２で結合することにより、底パネル１に対し下側ゲート２０をヒンジコイル軸心２２ａ（図１参照）の周りに揺動自在に構成している。又、図１に示すように、上側ゲート１９及び下側ゲート２０それぞれの左右両側辺上端近傍位置には、従来周知のゲートロック手段２３，２４が設けられている。
【００２０】
上記構成のボックスパレットは、使用に際して図１に示すように組み立てられる。この組み立て方法を説明すると、背パネル２Ｄに対して左右両側パネル２Ｂ，２Ｃをヒンジコイル軸心１５ａ，１６ａの周りに直角前方向きに回転させると共に、当該背パネル２Ｄを底パネル１に対してヒンジコイル軸心１１ａの周りに回転させて起立させることにより、左右両側パネル２Ｂ，２Ｃの下側辺から下向きに突出する各位置決め用突出片１７を、底パネル１の格子状パネル材５を貫通させて前後方向溝形材３に嵌合させ、左右両側パネル２Ｂ，２Ｃを底パネル１の左右両側辺に沿った位置に位置決めする。
【００２１】
係る状態でゲートパネル２Ａの下側ゲート２０を底パネル１に対してヒンジコイル軸心２２ａの周りに回転させて起立させる。而して、左右両側パネル２Ｂ，２Ｃの前側辺から前方向きに突出する下側上下２段のゲートパネル係止用突出片１８ａ，１８ｂが下側ゲート２０の格子状パネル材の網目を貫通して前方に突出することになるので、上側のゲートパネル係止用突出片１８ｂを利用して下側ゲート２０の左右一対のゲートロック手段２３により下側ゲート２０を起立姿勢にロックする。更に、ゲートパネル２Ａの上側ゲート１９を下側ゲート２０に対してヒンジコイル軸心２１ａの周りに回転させて起立させる。而して、左右両側パネル２Ｂ，２Ｃの前側辺から前方向きに突出する上側上下２段のゲートパネル係止用突出片１８ｃ、１８ｄが上側ゲート１９の格子状パネル材の網目を貫通して前方に突出することになるので、上側のゲートパネル係止用突出片１８ｄを利用して上側ゲート１９の左右一対のゲートロック手段２４により上側ゲート１９を起立姿勢にロックし、ゲートパネル２Ａで左右両側パネル２Ｂ，２Ｃの前側辺間を閉塞する。
【００２２】
上記のように組み立てられたボックスパレットでは、図４及び図５Ｃに示すように、左右両側パネル２Ｂ，２Ｃの下辺から突出し且つ底パネル１の左右両側辺の前後方向溝形材３内に嵌入している各位置決め用突出片１７は、当該前後方向溝形材３の外側の垂直壁部３ａに隣接している。換言すれば、前後方向溝形材３の外側の垂直壁部３ａに各位置決め用突出片１７が隣接するように、左右両側パネル２Ｂ，２Ｃの位置が、ゲートパネル２Ａの左右両側辺との結合や背パネル２Ｄの左右両側辺とのヒンジコイル１５，１６による結合によって決められている。このように組み立てられたボックスパレットは、周囲がパネル２Ａ〜２Ｄで囲まれた底パネル１上の荷収納空間内に荷を収納した状態で、搬送や保管に利用できるが、図２に仮想線で示すように、上側パレットの各脚体６を下側パレットの左右両側パネル２Ｂ，２Ｃの上側辺の前後両端近傍位置に、各脚体６の凹溝部１０を利用して嵌合させることにより、段積みすることができる。
【００２３】
上記のようにボックスパレットを段積みしたとき、上側パレットの各脚体６から下向きに作用する荷重は、左右両側パネル２Ｂ，２Ｃの格子状パネル材１４を構成する縦線材１２から下辺の横線材１３ａ，１３ｂ、及びこれら下辺の横線材１３ａ，１３ｂが支持される底パネル１の格子状パネル材５における左右方向線材８を経由して、当該底パネル１の前後方向溝形材３で受け止められることになる。このとき、図５Ｃに示すように、左右両側パネル２Ｂ，２Ｃの下辺（下端）の横線材１３ａ，１３ｂが底パネル１の前後方向溝形材３の外側の垂直壁部３ａの真上に位置しており、従って、底パネル１の格子状パネル材５における左右方向線材８に曲げ力が作用することは殆どない。
【００２４】
収納された荷を出し入れする際は、上記の組み立て時と逆の手順でゲートパネル２Ａの上側ゲート１９のみ、又は下側ゲート２０を含むゲートパネル２Ａ全体を前方下側に開動させることにより、荷の出し入れをパレットの正面側から行うことができる。
【００２５】
空のボックスパレットは、上記の組み立て時と逆の手順で偏平状に折り畳むことができる。即ち、ゲートパネル２Ａが備える各ゲートロック手段２３，２４によるゲートロック作用を解除し、ゲートパネル２Ａを一旦底パネル１に対して前方に開動倒伏させる。次に、背パネル２Ｄを後方に開動させて、左右両側パネル２Ｂ，２Ｃの下側辺から突出する各位置決め用突出片１７を底パネル１から上方に離脱させると共に、各側パネル２Ｂ，２Ｃを背パネル２Ｄに対して外側後方へ回転させて、当該背パネル２Ｄの外側に交互に重ねる。この背パネル２Ｄとその外側に交互に重ねられた左右両側パネル２Ｂ，２Ｃとを一体にして底パネル１の上に重ねるように、背パネル２Ｄを前方下方に回転させる。そして最後にゲートパネル２Ａを底パネル１上に重ねるように回転させることにより、底パネル１上に背パネル２Ｄ、左右各側パネル２Ｂ，２Ｃ、及びゲートパネル２Ａが層状に重なった折り畳み状態とすることができる。
【００２６】
尚、図５に示すように、底パネル１の左右両側辺の前後方向溝形材３には、これに嵌入する位置決め用突出片１７を当該溝形材３の外側の垂直壁部３ａに隣接するように寄せるガイド斜面２５ａを備えたガイド部材２５を、当該溝形材３の内側の垂直壁部３ｂに装着することができる。このガイド部材２５は帯状板を曲げ加工して構成しているが、線材を曲げ加工して構成することもできる。同様に、位置決め用突出片１７も線材をＵ字形に曲げ加工して構成しているが、板材を利用して構成することも可能である。
【００２７】
上記のようにボックスパレットを組み立てるとき、背パネル２Ｄを起立させて左右両側パネル２Ｂ，２Ｃを底パネル１の左右両側辺の上に下ろしてくるとき、位置決め用突出片１７を底パネル１の左右両側辺にある前後方向溝形材３内に嵌入させるのであるが、左右両側パネル２Ｂ，２Ｃは背パネル２Ｄに対してヒンジコイル軸心１５ａ，１６ａの周りに揺動自在であるから、底パネル１側の前後方向溝形材３の巾方向に関する位置決め用突出片１７の位置が定まらない。しかし上記のようなガイド部材２５を併設しておけば、位置決め用突出片１７が底パネル１側の前後方向溝形材３内に嵌入するとき、ガイド部材２５のガイド斜面２５ａで当該位置決め用突出片１７を前後方向溝形材３の外側の垂直壁部３ａ側へ寄せることができる。即ち、左右両側パネル２Ｂ，２Ｃを底パネル１の左右両側辺の上に載置したとき、最初から当該左右両側パネル２Ｂ，２Ｃが正規の位置に位置決めされることになり、ゲートパネル２Ａとの結合作業時に左右両側パネル２Ｂ，２Ｃの位置を左右方向に調整する必要がない。
【図面の簡単な説明】
【００２８】
【図１】ボックスパレットを全体の斜視図である。
【図２】底パネルと側パネルとを示す側面図である。
【図３】底パネルを示す平面図である。
【図４】左右両側パネルの支持状態を示す一部切り欠き正面図である。
【図５】Ａ図は側パネルを底パネルに支持させる直前の状態を示す要部の縦断正面図、Ｂ図は同要部の一部縦断側面図、Ｃ図は側パネルを底パネルに支持させた状態での要部の縦断正面図である。
【符号の説明】
【００２９】
１    底パネル
２Ａ    ゲートパネル
２Ｂ，２Ｃ    側パネル
２Ｄ    背パネル
３    前後方向溝形材
５    格子状パネル材
６    段積み用脚体
１１，１５，１６，２１，２２    螺旋状のヒンジコイル
１２    縦線材
１２ａ    補強用縦線材
１３，１３ａ，１３ｃ    横線材
１３ｂ    補強用横線材
１４    格子状パネル材
１７    位置決め用突出片
１７ａ，１７ｂ    位置決め用突出片の平行縦線材部
１７ｃ    位置決め用突出片の上端部
２５    ガイド部材
２５ａガイド斜面
【図１】
2005096823.tif 000003
【図２】
2005096823.tif 000004
【図３】
2005096823.tif 000005
【図４】
2005096823.tif 000006
【図５】
2005096823.tif 000007